(57)【要約】【課題】光学マウスが透明媒介面上に正確な画像を捕捉する方法を提供し、光源を節約出来る光学マウスを提供するものである。【解決手段】本発明は光学装置信号画素の捕捉方法であり、光学入力装置（例えば、光学マウス）が透明媒介面上に正確な画像を捕捉する方法に供し、この方法は鉛直方向にビームを投射させる光軸を発生しこの光軸がビームスプリッターの表面に直射する場合はビームの光軸により透明媒介部材の下方の画像接触面に達し、かつ、画像接触面の画像を前記ビームスプリッターに反射し、一回或は複数回に画像を反射する光軸がレンズに達し、画像センサ素子がレンズ作用による画像を捕捉できる。【選択図】    図２
2006195582.tif 000002
【特許請求の範囲】
【請求項１】
鉛直方向にビームを投射する光軸を発生する工程と、
この光軸が分光部材に直射する工程と、
この分光部材によりビームを透過する光軸が、透明媒介部材の下方の画像接触面に至る工程と、
画像接触面の画像が前記分光部材に反射され、画像を補捉する光軸がこの分光部材が透過されたビームの光軸と重なり合う工程と、
この分光部材が一回或は複数回画像を反射することにより光軸がレンズに達し、画像センサ素子がレンズ作用による画像を捕捉する工程と、
を含むことを特徴とする光学マウス信号画像の捕捉方法。
【請求項２】
非透明媒介部材上にも画像を捕捉出来ることを特徴とする請求項１に記載の光学マウス信号画像の捕捉方法。
【請求項３】
ビーム投射光軸を発生する光軸工程と、
この光軸が分光部材に直射する工程と、
この分光部材が一回或は複数回ビームを反射することにより、光軸が透明媒介部材の下方の画像接触面に達する工程と、
画像接触面の画像が前記分光部材に反射され、画像を捕捉する光軸がこの分光部材が反射されたビームの光軸と重なり合う工程と、
この分光部材が画像を透過することにより光軸がレンズに達し、画像センサ素子がレンズ作用による画像を捕捉する工程と、
を含むことを特徴とする光学マウス信号画像の捕捉方法。
【請求項４】
非透明媒介部材上にも画像を捕捉出来ることを特徴とする請求項３に記載の光学マウス信号画像の捕捉方法。
【請求項５】
水平方向にビームを投射する光軸を発生する工程と、
この光軸が分光部材に直射する工程と、
この分光部材によりビームを反射する光軸が、透明媒介部材の下方の画像接触面に至る工程と、
画像接触面の画像が前記分光部材に反射され、画像を捕捉する光軸がこの分光部材が透過されたビームの光軸と重なり合う工程と、
この分光部材が画像を透過する光軸がレンズに到達し、画像センサ素子がレンズ作用による画像を捕捉する工程と、
を含むことを特徴とする光学マウス信号画像の捕捉方法。
【請求項６】
非透明媒介部材上にも画像を受取出来ることを特徴とする請求項５に記載の光学マウス信号画像の捕捉方法。
【請求項７】
鉛直方向にビームを投射する光軸を発生する工程と、
この光軸がレンズセットに直射する工程と、
レンズセットがビームを二回反射することにより、光軸が透明媒介部材の下方の画像接触面に達する工程と、
画像接触面の画像がレンズセットに反射され、画像を捕捉する光軸がこのレンズセットがビームを二回反射する光軸と重なり合う工程と、
レンズセットが画像を透過することにより光軸がレンズに到達し、画像センサ素子がレンズ作用による画像を捕捉する工程と、
を含むことを特徴とする光学マウス信号画像の捕捉方法。
【請求項８】
非透明媒介部材上にも画像を受取出来ることを特徴とする請求項７に記載の光学マウス信号画像の捕捉方法。
【発明の詳細な説明】
【技術分野】
【０００１】
本発明は、光学装置信号画像の捕捉方法であり、特に光学入力設備（例えば、光学マウス）により透明媒介部材上に正確な画像を受取する方法に関するものである。
【背景技術】
【０００２】
一般に、マウスの構造は、両組の序列ロジック信号（例えば、１１、１０、００、０１）を出力できるＸ軸及びＹ軸エンコーダを含み、マウスの底面によりテーブルにの表面を固定し、他の平坦な所定方向に移動してモニタが処理しようとするデータ位置を相対的にシフトさせる。このマウスがモニタ上のデータ位置を移動する原理は、基本的に同時にＸ軸及びＹ軸エンコーダを操作し平面上の点の移動を発生させるものである。  
【０００３】
図１Ａを参照し、普通の光学マウスの断面図であり、このマウスは平面上に移動され、発光素子６１が発光源を導光板６２の第１の反射面６２１に投射する際に、この発光源を第２の反射面６２２に反射させ、第２の反射面６２２の反射を経て、光源は底部ケース６３の開口に透過し、非透明媒介面からなる接触面６４に投射され、接触面６４が非透明媒介面である場合は、接触面６４が画像軸Ｆと重なり合い、画像軸Ｆの画像はレンズ６５を介してフォーカスする共に、画像センサー素子６６を接触面６４上の画像軸Ｆ上の画像が光源が投射することを丁度に捕捉でき、画像センサー素子６６を継続的に正確な画像を補捉でき、さらに回路制御ユニット（図示せず）を介してこのマウスの移動距離及び方向を正確に算出する。
【０００４】
前記のように、光学マウスの画像捕捉方法は、画像センサー素子６６より正確的に画像軸Ｆ上の画像信号を受取できるために、ビーム投射光軸Ｄと画像受取光軸Ｒを接触面６４の画像軸Ｆ上に点Ｐにクロスさせる必要がある。
【発明の開示】
【発明が解決しようとする課題】
【０００５】
しかし、接触面６４が透明媒介材（例えば、ガラス）により作製されると、接触面６４が画像軸Ｆと重なり合わないので、投射光が接触面６４に入射される場合は、ビーム投射光軸Ｄが接触面６４及び其の下方の画像軸Ｆ１を投射して点Ｍに交叉され、即ち、ビーム投射光軸Ｄと画像受取光軸Ｒとが、画像軸Ｆに交叉できないため、図１Ｂに示すように、この光学マウスを接触面６４上に作動させることが出来なくなり、言い換えれば、この光学マウスは透明媒介材上において作用がない。
【０００６】
また、発光素子６１が投射される光源信号は導光板６２を通じて二回反射を行って接触面６４に到達するので、光源が消耗することが容易になる。
【０００７】
そのため、この分野を夫々に開発する者は共にこの光学マウスが透明或は非透明媒介面上に作動作用出来るかどうかに対して一層に研究しており、本発明者は論理技術を引用して本発明を研究開発した。
【０００８】
本発明の一目的は、光学マウスが透明媒介面上に正確な画像を捕捉する方法を提供することにある。
【０００９】
本発明の他方目的は、光源を節約出来る光学マウスを提供するもので、その光源は最も短い経路で透明媒介部材の画像に投射でき、光径の距離が最も短いので、光源節約の目的を達成できる。
【課題を解決するための手段】
【００１０】
前記目的を達成するために、本願の第１発明は、鉛直方向にビームを投射する光軸を発生する工程と、この光軸が分光部材に直射する工程と、この分光部材によりビームを透過する光軸が、透明媒介部材の下方の画像接触面に至る工程と、画像接触面の画像が前記分光部材に反射され、画像を補捉する光軸がこの分光部材が透過されたビームの光軸と重なり合う工程と、この分光部材が一回或は複数回画像を反射することにより光軸がレンズに達し、画像センサ素子がレンズ作用による画像を捕捉する工程と、を含むことを特徴とする光学マウス信号画像の捕捉方法を提供する。
【００１１】
更に、本願の第２発明は、非透明媒介部材上にも画像を捕捉出来ることを特徴とする本願の第１発明に記載の光学マウス信号画像の捕捉方法を提供する。
【００１２】
更に、本願の第３発明は、ビーム投射光軸を発生する光軸工程と、この光軸が分光部材に直射する工程と、この分光部材が一回或は複数回ビームを反射することにより、光軸が透明媒介部材の下方の画像接触面に達する工程と、画像接触面の画像が前記分光部材に反射され、画像を捕捉する光軸がこの分光部材が反射されたビームの光軸と重なり合う工程と、この分光部材が画像を透過することにより光軸がレンズに達し、画像センサ素子がレンズ作用による画像を捕捉する工程と、を含むことを特徴とする光学マウス信号画像の捕捉方法を提供する。
【００１３】
更に、本願の第４発明は、非透明媒介部材上にも画像を捕捉出来ることを特徴とする本願の第３発明に記載の光学マウス信号画像の捕捉方法を提供する。
【００１４】
更に、本願の第５発明は、水平方向にビームを投射する光軸を発生する工程と、この光軸が分光部材に直射する工程と、この分光部材によりビームを反射する光軸が、透明媒介部材の下方の画像接触面に至る工程と、画像接触面の画像が前記分光部材に反射され、画像を捕捉する光軸がこの分光部材が透過されたビームの光軸と重なり合う工程と、この分光部材が画像を透過する光軸がレンズに到達し、画像センサ素子がレンズ作用による画像を捕捉する工程と、を含むことを特徴とする光学マウス信号画像の捕捉方法を提供する。
【００１５】
更に、本願の第６発明は、非透明媒介部材上にも画像を捕捉出来ることを特徴とする本願の第５発明に記載の光学マウス信号画像の捕捉方法を提供する。
【００１６】
更に、本願の第７発明は、鉛直方向にビームを投射する光軸を発生する工程と、この光軸がレンズセットに直射する工程と、レンズセットがビームを二回反射することにより、光軸が透明媒介部材の下方の画像接触面に達する工程と、画像接触面の画像がレンズセットに反射され、画像を捕捉する光軸がこのレンズセットがビームを二回反射する光軸と重なり合う工程と、レンズセットが画像を透過することにより光軸がレンズに到達し、画像センサ素子がレンズ作用による画像を捕捉する工程と、を含むことを特徴とする光学マウス信号画像の捕捉方法を提供する。
【００１７】
更に、本願の第８発明は、非透明媒介部材上にも画像を捕捉出来ることを特徴とする本願の第７発明に記載の光学マウス信号画像の捕捉方法を提供する。
【発明を実施するための最良の形態】
【００１８】
本発明の特徴とその技術内容をさらに詳細的で具体的に説明するために、以下に添付図面を参照しながら、本発明の具体的な実施の形態を詳細的に説明するが、それらの説明と図面に開示される具体的な構成は本発明の主張範囲を狭義的に局限するものではないことが言うまでもないことである。
【実施例１】
【００１９】
図２は本発明の第１の実施例を示す図である。前記目的を達成するために、光学装置（例えば、光学マウス）信号画像捕捉方法において、以下のような工程を含む。
【００２０】
鉛直方向にビームを投射する光軸Ｄを発生しており、このビームは発光素子１より発生され、発光素子１は発光ダイオードである。
【００２１】
このビーム投射光軸Ｄがビームスプリッター（Ｂｅａｍ  Ｓｐｌｉｔｔｅｒ）２の表面に直射しており、ビームスプリッター２は、入射のビームの一部分を反射させ、一部分を透過させる光学部材である。
【００２２】
このビームスプリッター２を介してビームを透過する光軸Ｄ１が、透明媒介部材３の下方の画像接触面３１に至り、透明媒介はガラスなどでよい。
【００２３】
画像接触面３１の画像がビームスプリッター２の内面に反射され、この時に画像を捕捉する光軸Ｒはこのビームスプリッター２を介してビームを透過する光軸Ｄ１と重なり合う。
【００２４】
このビームスプリッター２を介して画像を反射する光軸Ｒ１がレンズ４に到達し、画像センサ素子（例えば、ＣＣＤ或はＣＩＳなど）５よりレンズ４を介して作用される画像を捕捉しており、この発光素子１が発生するビーム透過光軸Ｄ１と画像を捕捉する光軸Ｒとが重なり合い、かつ、透明媒介部材３の下方の画像接触面３１と点Ｐにクロスされるため、画像を捕捉出来ない事は発生しない。
【００２５】
よって、この光学装置は、透明媒介部材３上に作用でき、画像センサ素子５より透明媒介部材３を介してのビームが反射する画像を捕捉させ、さらに回路制御ユニットを介してこの光学装置の移動距離及び方向を正確に算出する。
【実施例２】
【００２６】
図３は本発明の第２の実施例を示す図である。光学装置（例えば、光学マウス）信号画像捕捉方法において、以下のような工程を含む。
【００２７】
水平方向にビームを投射する光軸Ｄを発生しており、このビームは発光素子１より発生され、この発光素子１は発光ダイオードである。
【００２８】
このビーム投射光軸Ｄがビームスプリッター（Ｂｅａｍ  Ｓｐｌｉｔｔｅｒ）２の表面に直射しており、ビームスプリッター２は、入射のビームの一部分を反射させ、一部分を透過させる光学部材である。
【００２９】
このビームスプリッター２を介してビームを反射する光軸Ｄ１が、透明媒介部材３の下方の画像接触面３１に至り、透明媒介はガラスなどでよい。
【００３０】
画像接触面３１の画像が前記ビームスプリッター２に反射され、画像を捕捉する光軸Ｒはこのビームスプリッター２を介してビームを反射する光軸Ｄ１と重なり合う。
【００３１】
このビームスプリッター２を介して画像を透過する光軸Ｒ１がレンズ４に到達し、画像センサ素子５よりレンズ４を介して作用される画像を捕捉する。この発光素子１が発生するビーム透過光軸Ｄ１と画像を捕捉する光軸Ｒとが重なり合い、かつ、画像接触面３１と点Ｐにクロスされるため、画像を捕捉出来ない事は発生しない。
【００３２】
よって、この光学装置は、透明媒介部材３上に作用でき、画像センサ素子５より透明媒介部材３を介してのビームが反射する画像を捕捉させ、さらに回路制御ユニットを介してこの光学装置の移動距離及び方向を正確に算出する。
【００３３】
本発明は、さらに、ビームスプリッターと反射鏡を介して光学装置信号画像捕捉方法を行うことができ、その詳細は以下のようになる。
【実施例３】
【００３４】
図４は本発明の第３の実施例を示す図である。光学装置（例えば、光学マウス）信号画像捕捉方法において、以下のような工程を含む。
【００３５】
鉛直方向にビームを投射する光軸Ｄを発生しており、このビームは発光素子１より発生され、発光素子１は発光ダイオードである。
【００３６】
このビーム投射光軸Ｄがビームスプリッター（Ｂｅａｍ  Ｓｐｌｉｔｔｅｒ）６の表面に直射しており、ビームスプリッター６は、入射のビームの一部分を反射させ、一部分を透過させる光学部材である。
【００３７】
このビームスプリッター６を介してビームを透過する光軸Ｄ１が、透明媒介部材３の下方の画像接触面３１に至り、透明媒介はガラスなどでよい。
【００３８】
画像接触面３１の画像がビームスプリッター６の内面に反射され、画像を捕捉する光軸Ｒはこのビームスプリッター６を介してビームを透過する光軸Ｄ１と重なり合う。
【００３９】
このビームスプリッター６を介して画像を反射する光軸Ｒ１が反射鏡６’の表面に至る。
【００４０】
反射鏡６’を介して画像を反射する光軸Ｒ２がレンズ４に至り、画像センサ素子５よりレンズ４を介して作用される画像を捕捉しており、この発光素子１が発生するビーム透過光軸Ｄ１と画像を捕捉する光軸Ｒとが重なり合い、かつ、透明媒介部材３の下方の画像接触面３１と点Ｐにクロスされるため、画像を捕捉出来ない事は発生しない。
【００４１】
よって、この光学装置は、透明媒介部材３上に作用でき、画像センサ素子５より透明媒介部材３を介してのビームが反射する画像を捕捉させ、さらに回路制御ユニットを介してこの光学装置の移動距離及び方向を正確に算出する。
【実施例４】
【００４２】
図５は本発明の第４の実施例を示す図である。光学装置（例えば、光学マウス）信号画像捕捉方法において、以下のような工程を含む。
【００４３】
鉛直方向にビームを投射する光軸Ｄを発生しており、このビームは発光素子１より発生され、この発光素子１は発光ダイオードである。
【００４４】
このビーム投射光軸Ｄが反射鏡８’の表面に直射する。
【００４５】
この反射鏡８’を介してビームを反射する光軸Ｄ１が、ビームスプリッター８の表面に至り、ビームスプリッター８は、入射のビームの一部分を反射させ、一部分を透過させる光学部材である。
【００４６】
このビームスプリッター８を介してビームを反射する光軸Ｄ２が、透明媒介部材３の下方の画像接触面３１に至り、透明媒介はガラスなどでよい。
【００４７】
画像接触面３１の画像が前記ビームスプリッター８に反射され、画像を捕捉する光軸Ｒはこのビームスプリッター８を介してビームを反射する光軸Ｄ１と重なり合う。
【００４８】
このビームスプリッター８を介して画像を透過する光軸Ｒ１がレンズ４に到達し、画像センサ素子５よりレンズ４を介して作用される画像を捕捉する。この発光素子１が発生するビーム透過光軸Ｄ２と画像を捕捉する光軸Ｒとが重なり合い、かつ、画像接触面３１と点Ｐにクロスされるため、画像を捕捉出来ない事は発生しない。
【００４９】
よって、この光学装置は、透明媒介部材３上に作用でき、画像センサ素子５より透明媒介部材３を介してのビームが反射する画像を捕捉させ、さらに回路制御ユニットを介してこの光学装置の移動距離及び方向を正確に算出する。
【００５０】
本発明は、さらに、第３、第４の実施例のビームスプリッターと反射鏡を単一部材に組み合わせて光学装置信号画像捕捉方法を行うことができ、その詳細は以下のようになる。
【実施例５】
【００５１】
図６は本発明の第５の実施例を示す図である。光学装置（例えば、光学マウス）信号画像捕捉方法において、以下のような工程を含む。
【００５２】
鉛直方向にビームを投射する光軸Ｄを発生しており、このビームは発光素子１より発生され、発光素子１は発光ダイオードである。
【００５３】
このビーム投射光軸Ｄがレンズセット７に直射することより、入射のビームを透過させる。
【００５４】
このレンズセット７を介してビームを透過する光軸Ｄ１が、透明媒介部材３の下方の画像接触面３１に至り、透明媒介はガラスなどでよい。
【００５５】
画像接触面３１の画像がレンズセット７に反射され、画像を捕捉する光軸Ｒはこのレンズセット７を介してビームを透過する光軸Ｄ１と重なり合う。
【００５６】
このレンズセット７を介して画像を二回反射する光軸Ｒ２がレンズ４に至り、画像センサ素子（例えば、ＣＣＤ或はＣＩＳなど）５よりレンズ４を介して作用される画像を捕捉しており、この発光素子１が発生するビーム透過光軸Ｄ１と画像を捕捉する光軸Ｒとが重なり合い、かつ、透明媒介部材３の下方の画像接触面３１と点Ｐにクロスされるため、画像を捕捉出来ない事は発生しない。
【００５７】
よって、この光学装置は、透明媒介部材３上に作用でき、画像センサ素子５より透明媒介部材３を介してのビームが反射する画像を捕捉させ、さらに回路制御ユニットを介してこの光学装置の移動距離及び方向を正確に算出する。
【実施例６】
【００５８】
図７は本発明の第６の実施例を示す図である。光学装置（例えば、光学マウス）信号画像捕捉方法において、以下のような工程を含む。
【００５９】
鉛直方向にビームを投射する光軸Ｄを発生しており、このビームは発光素子１より発生され、この発光素子１は発光ダイオードである。
【００６０】
このビーム投射光軸Ｄがレンズセット９に直射することより、入射のビームを二回反射させる。
【００６１】
このレンズセット９を介してビームを二回反射する光軸Ｄ２が、透明媒介部材３の下方の画像接触面３１に至り、透明媒介はガラスなどでよい。
【００６２】
画像接触面３１の画像がレンズセット９に反射され、画像を捕捉する光軸Ｒはこのレンズセット９を介してビームを二回反射する光軸Ｄ２と重なり合う。
【００６３】
このレンズセット９を介して画像を透過する光軸Ｒ１がレンズ４に到達し、画像センサ素子（例えば、ＣＣＤ或はＣＩＳなど）５よりレンズ４を介して作用される画像を捕捉しており、この発光素子１が発生するビーム透過光軸Ｄ２と画像を捕捉する光軸Ｒとが重なり合い、かつ、画像接触面３１と点Ｐにクロスされるため、画像を捕捉出来ない事は発生しない。
【００６４】
よって、この光学装置は、透明媒介部材３上に作用でき、画像センサ素子５より透明媒介部材３を介してのビームが反射する画像を捕捉させ、さらに回路制御ユニットを介してこの光学装置の移動距離及び方向を正確に算出する。
【００６５】
前記画像接触面３１の媒介（例えば、紙、めっき、印刷、きざみなど）も、両透明部材（例えば、ガラス）の間に組み立てられる。
【００６６】
さらに、前発明の方法は、光学装置より透明媒介部材上に画像を捕捉出来る他に、非透明媒介部材上にも画像を捕捉出来る。
【００６７】
上記のように、本発明の設計方法は、光学装置より透明或は非透明媒介部材上に画像を捕捉出来、光源節約の目的を達成できる。
【００６８】
以上に述べた事は、単に本発明の好ましい実施例に過ぎず、本発明の請求範囲を局限するものではなく、総じて本発明の説明書及び図で示した内容等を運用するもので遂げる同等の構造変化は、同様に本発明の範囲内に於いて含まれ、陳明に与える。
【図面の簡単な説明】
【００６９】
【図１Ａ】従来の光学マウスの断面図である。
【図１Ｂ】従来の光学マウスの実施例の図である。
【図２】本発明の第１の実施例を示す図である。
【図３】本発明の第２の実施例を示す図である。
【図４】本発明の第３の実施例を示す図である。
【図５】本発明の第４の実施例を示す図である。
【図６】本発明の第５の実施例を示す図である。
【図７】本発明の第６の実施例を示す図である。
【符号の説明】
【００７０】
Ｄ、Ｄ１、Ｄ２：ビーム投射光軸
Ｒ、Ｒ１、Ｒ２：画像捕捉光軸
１：発光素子
２：ビームスプリッター
３：透明媒介部材
４：レンズ
５：画像センサ素子
６：ビームスプリッター
６’：反射鏡
７：レンズセット
８’：反射鏡
８：ビームスプリッター
９：レンズセット
３１：画像接触面
６１：発光素子
６２：導光板
６３：底部ケース
６４：接触面
６５：レンズ
６６：画像センサー素子
６２１：第１の反射面
６２２：第２の反射面
Ｆ：画像軸
【図１Ａ】
2006195582.tif 000003
【図１Ｂ】
2006195582.tif 000004
【図２】
2006195582.tif 000005
【図３】
2006195582.tif 000006
【図４】
2006195582.tif 000007
【図５】
2006195582.tif 000008
【図６】
2006195582.tif 000009
【図７】
2006195582.tif 000010